(57)【要約】【課題】柱と梁を剛接合する連結金物が従来よりも小さくてすみ、しかも、柱を起立した状態で梁を接合できるようにすることである。【解決手段】左右の柱３，３間に梁１を連結金物４を介して接合する木造門型ラーメン構造において、連結金物４が、柱３の側面に取り付ける支持板８と、支持板８から突出する一枚以上の鉛直な接合板９とからなり、上下に平行な複数本の梁１の間に中間材２を部分的に介在し、各梁１の端面の鉛直なスリット１０に接合板９を収容し、梁１の前後面から打ち込んだピンＰで梁１を連結金物４に接合し、柱３と梁１の端部についてその前後面の少なくとも一面に補強用面材５を取り付けてあることを特徴とする。【選択図】      図１
2004316292.tif 000002
【特許請求の範囲】
【請求項１】
左右の柱（３，３）間に梁（１）を連結金物（４）を介して接合する木造門型ラーメン構造において、
連結金物（４）が、柱（３）の側面に取り付ける支持板（８）と、支持板（８）から突出する一枚以上の鉛直な接合板（９）とからなり、
上下に平行な複数本の梁（１）の間に中間材（２）を部分的に介在し、各梁（１）の端面の鉛直なスリット（１０）に接合板（９）を収容し、梁（１）の前後面から打ち込んだピン（Ｐ）で梁（１）を連結金物（４）に接合し、柱（３）と梁（１）の端部についてその前後面の少なくとも一面に補強用面材（５）を取り付けてあることを特徴とする木造門型ラーメン構造。
【発明の詳細な説明】
【０００１】
【発明の属する技術分野】
本発明は、例えば木造住宅の車庫に利用される木造の門型ラーメン構造に関する。
【０００２】
【従来の技術】
木造の車庫では、車の出入りするスペースを広くとるために、筋交いを使わずに板状連結金物にピンを打ち込むことで左右の柱と梁を接合していた。図１２には、右の柱９１と梁９２を連結金物９３で接合した構造を示している。
【０００３】
しかし、連結金物は一枚で剛接合をするため縦幅及び横幅が長くなり、コストが高くなる。また、連結金物を内部に収納する柱や梁へのスリットも長くなった。スリットの長さは、通常市販されている丸鋸ではあけられない程であり、チェンソーを用いて加工するため加工速度が丸鋸に比べると遅くなった。しかも、チェンソーは、刃の摩耗も早く、コストが高くなる。なお、梁も太いものを用いることから、コストが高くなる。
【０００４】
さらに、板状連結金物はピンを打ち込んで柱や梁に連結しているが、ピンを打ち込む際に連結金物、柱及び梁にあけた抜穴を一致させるには、梁が太くて重いことから、柱及び梁を地面に寝かした状態で組立てなければならず、敷地が狭い場合には建てられない。また、地面に寝かした状態で組み立てるスペースがあったとしても、その分だけ他の資材の搬入スペースが狭くなって搬入に時間がかかることになり、最終的には施工期間が長引くことになる。なお、本発明で用いる連結金物は、既に公知になっている（例えば、特許文献１参照。）
【０００５】
【特許文献１】
特開平１０−３３１２６０号公報
【０００６】
【発明が解決しようとする課題】
本発明は上記実情を考慮して開発されたもので、その解決課題は、柱と梁を剛接合する連結金物が従来よりも小さくてすみ、しかも、柱を起立した状態で梁を接合できるようにすることである。
【０００７】
【課題を解決するための手段】
本発明は、左右の柱間に梁を連結金物を介して接合する木造門型ラーメン構造を前提とする。そして、連結金物が、柱の側面に取り付ける支持板と、支持板から突出する一枚以上の鉛直な接合板とからなり、上下に平行な複数本の梁の間に中間材を部分的に介在し、各梁の端面の鉛直なスリットに接合板を収容し、梁の前後面から打ち込んだピンで梁を連結金物に接合し、柱と梁の端部についてその前後面の少なくとも一面に補強用面材を取り付けてあることを特徴とする。
【０００８】
中間材の配置個所は限定されず、例えば梁同士の間の左右端部、中間部分が挙げられる。また、中間材を連結する部材は、柱、梁の何れであっても良い。
【０００９】
柱への連結金物の取り付けは、ボルト・ナットを用いる手法、支持板にほぞを設けると共に柱にほぞ穴を設ける手法、二つの手法を併用する手法等が挙げられる。
【００１０】
【発明の実施の形態】
本発明の木造門型ラーメン構造の第一例は図１、図２に示すように、複数本の梁１，１を上下に間隔をあけて並列し、梁同士の間の左右端部に中間材２をそれぞれ介在し、それら梁１，１及び中間材２を左右の柱３（梁１の延長方向に相当する部分）に連結金物４でそれぞれ接合すると共に、前面側及び後面側について梁１の端部、中間材２及び柱３を補強用面材５でまとめて接合するものである。
【００１１】
連結金物４は図３に示すように、柱３の側面と梁１の端面との突き合わせ箇所、又は柱３の側面と中間材２の端面との突き合わせ箇所（図示省略）に収容され、ほぞ６とほぞ穴７並びにボルトＢ・ナットＮ・ワッシャＷを併用して柱３に取り付け、ピンＰで梁１又は中間材２に連結するものである。具体的に言えば、連結金物４は図３又は図４に示すように、支持板８の幅中央部から接合板９を突出し、支持板８と接合板９で平面視してＴ字状に形成し、接合板９を梁１の端面のスリット１０に収容し、支持板８を梁１の端面の凹部１１に収容するものである。なお、図示しないが、凹部１１を柱３の側面にあけて支持板８を収容しても良い。
【００１２】
支持板８は、横幅を柱３と梁１の幅よりもそれぞれ狭く形成し、ほぞ６を支持板８の幅方向の両側から上下に間隔をあけて突出し、ほぞ６を柱３の側面のほぞ穴７に嵌め込む。ほぞ６は、カップ状で、カップの底の中央部にはボルトＢの軸を挿入する抜穴１２があけてある。
【００１３】
接合板９は図４に示すように上下対称形状で、連結金物４の向きを上下反対にしても同様に使用できるように形成してある。接合板９は図３又は図４に示すように、その上辺と下辺には、ピンＰを引っ掛けるＵ字状の受け穴１３を設け、ピンＰの挿入孔１４を高さ方向に間隔をあけて設けてある。
【００１４】
梁１は、その端面の幅中間部分に支持板８の厚み分の凹部１１を設け、凹部１１の幅中央部にスリット１０を形成し、スリット１０には接合板９を収容する。また、梁１の側面には、上側のＵ字状の受け穴１３並びに所定の挿入孔１４に対応する箇所にピン差込穴１５を、スリット１０を経て反対面に貫通する状態で形成してある。中間材２も、梁１と同様にスリット、ピン差込穴を設けてある（図１中での符号による指摘は省略）。
【００１５】
柱３は、各連結金物４のほぞ６に対応する箇所にほぞ穴７を形成すると共に、図３に示すように、ほぞ穴７から反対面に通じる抜穴１６をボルト止め用に形成してある。
【００１６】
補強用面材５は、例えば合板を用い、釘打ち、ボルト止め、接着剤による貼り付け、或いはこれらの併用によって柱３、梁１及び中間材２に固定する。
【００１７】
柱３と基礎１７との連結には図１に示すように、基礎１７側から上方に突出するアンカーボルト１８と、接合金物１９を用いる。接合金物１９としては、アンカーボルト１８の上端部に筒状の金具本体２０をねじ込み、金具本体２０を柱３の下端面の長穴（符号省略）に収容し、柱３の側面からピンＰを縦横に打ち込み、そのピンＰを金具本体２０に貫通させるものが一例として挙げられる。なお、符号２１は、複数本のアンカーボルト１８を一体化するプレートで、符号２２はアンカーボルト１８に差し込んでアンカーボルト１８の突出方向を微調整する筒体である。
【００１８】
上述した第一例の組立方法は以下の手順で行う。まず、柱３に三つの連結金物４を上下に並べてボルト等で取り付ける。次に、基礎１７から突出するアンカーボルト１８に接合金物１９を利用して左右の柱３を連結して起立させる。続いて、下側の梁１をレッカー車のウィンチで吊り上げ、降ろしながら左右の柱３に付いている三つの連結金物４の接合板９に下側の梁１のスリット１０を上から順番に通し、一番下の連結金物４の高さに下側の梁１を合わせ、ピンＰを打ち込んで梁１を連結金物４に接合する。その次には、中間材２を同様の要領で二番目の連結金物４に合わせ、ピンＰを打ち込んで中間材２を連結金物４に接合する。続いて、上側の梁１にはピンＰを、受け穴１３に対応するピン差込穴１５に予め打ち込んでおく。そして、上側の梁１を同様の要領で一番上の連結金物４に合わせ、ピンＰを打ち込んで上側の梁１を連結金物４に接合する。その後、二本の梁１と中間材２の水平度を確認し、水平度が十分に出ている状態で梁１の左右部分について柱３、二本の梁１、中間材２を一枚の補強用面材５でそれぞれ覆い、補強用面材５を各部材１，２，３に釘打ちとボルト止めを併用して固定する。この際には、釘打ち箇所及びボルト止め箇所を予め補強用面材５に明示しておくことによって、釘打ち等が迅速に行える。なお、明示の仕方としては、×や○等の印を付けるとか、小孔をあける仕方が一例として挙げられる。
【００１９】
木造門型ラーメン構造の第二例は図５に示すように、中間材２及び補強用面材５を梁１，１同士の間の左右端部だけでなくその途中部分にも取り付けてあることを特徴とする。また、補強用面材５は前面側にのみ取り付けてある。
【００２０】
途中部分の中間材２と上側の梁１との連結方法は、中間材２の上面と上側の梁１の下面にそれぞれあけた収容穴２３にパイプ状の補助金具２４を挿入し、梁１及び中間材２の前後面に有するピン差込穴１５からピンＰを打ち込んで、補助金具２４の位置決め孔２５をピンＰが貫通したものである。なお、途中部分の中間材２と下側の梁１との連結方法も同様である。
【００２１】
木造門型ラーメン構造の第三例は図６に示すように、中間材２を梁１，１同士の端部でなく途中部分に間隔をあけて介在し、梁１の全長、柱３及び中間材２についてその片面側（前面）全域に複数枚の補強用面材５を取り付けることを特徴とする。
【００２２】
木造門型ラーメン構造の第四例は図７に示すように、補強用面材５を前面の右側部分と後面の左側部分において、梁１等に取り付けてあることを特徴とする。
【００２３】
木造家屋は図８に示すように、上述した木造門型ラーメン構造で一階を作って車庫とし、木造軸組構造で二階を作っても良い。
【００２４】
連結金物４を柱３に止める方法の別の例は図９（イ）に示すように、ほぞ穴７をほぞ６よりも深く形成し、ほぞ穴７の奥に鞘管２６を収容し、鞘管２６に交差する方向でピンＰを柱３に打ち込んで固定すると共に、鞘管２６の先部に有する雌ネジにほぞ６からボルトＢをねじこんで、連結金物４を固定する。また、図９（ロ）に示すように、３つのほぞ穴７のうち一つを特に深く形成し、それに対応して鞘管２６に長いものを用い、ボルトＢが鞘管２６に長くはまり込むようにして連結強度を高めても良い。
【００２５】
連結金物４の別の例は図１０又は図１１に示すように、支持板８の幅方向の両側から二枚の接合板９を突出することで平面視してコ字状に形成したことを特徴とする。これを使用する場合は、梁１又は中間材２に二本のスリット１０を幅方向に間隔をあけて形成し、各スリット１０に接合板９を一枚ずつ収容し、両接合板９には受け穴１３と挿入孔１４を対向する状態であけ、ピンＰによって両接合板９の受け穴１３又は挿入孔１４をまとめて貫通することで、梁１又は中間材２を連結金物４に連結する。
【００２６】
上述したように中間材２は、柱３又は梁１に対して連結金物４（図１参照）又は補助金具２４（図５参照）で連結することによって強固に一体化する。
【００２７】
【発明の効果】
本発明は、連結金物と補強用面材を併用し、補強用面材で接合強度を増すことができるので、従来よりも小さい連結金物を用いることができる。そして、それに伴って、丸鋸でのスリットの加工も可能となり、加工速度の向上や、連結金物のコストの低下が図られる。また、従来の太い梁を使わずに複数本の梁及び中間材を使用するので、梁及び中間材のコストが低下する。さらに、梁同士の間に中間材を部分的に介在するので、中間材がない部分は空間となり、その分だけコストを削減できる。
【００２８】
また、梁を複数本用いることから、従来よりも梁が細くてすむ（軽い）ので、レッカー車のウィンチ等で吊り上げた際に水平に支持することが容易となり、起立した柱に付いている連結金物に梁を容易に連結できる。つまり、柱を起立した状態で梁を接合できることから、敷地面積の狭い箇所でも建てることができ、搬入スペースが確保され、施工期間が短縮する。なお、補強用面材は柱や梁に取り付ければ良く、連結金物の接合板に梁のスリットを差し込むような精度が要求されないことから、迅速に施工できる。
【図面の簡単な説明】
【図１】本発明の木造門型ラーメン構造の第一例を示す正面図である。
【図２】（イ）（ロ）図１の左側の平面図、左側面図である。
【図３】柱、連結金物及び梁の連結具合を分解して示す平面図である。
【図４】柱、連結金物及び梁の連結具合を分解して示す斜視図である。
【図５】（イ）（ロ）本発明の木造門型ラーメン構造の第二例を示す正面図、Ａ−Ａ線断面図である。
【図６】本発明の木造門型ラーメン構造の第三例を示す正面図である。
【図７】本発明の木造門型ラーメン構造の第四例を示す正面図である。
【図８】本発明の木造門型ラーメン構造を適用した木造家屋を示す正面図である。
【図９】（イ）（ロ）連結金物の止める方法の例を二つ示す正面図である。
【図１０】柱、別の例の連結金物及び梁の連結具合を分解して示す平面図である。
【図１１】柱、別の例の連結金物及び梁の連結具合を分解して示す斜視図である。
【図１２】（イ）（ロ）従来の木造門型ラーメン構造の一部を示す正面図、Ａ−Ａ線断面図である。
【符号の説明】
１  梁
２  中間材
３  柱
４  連結金物
５  補強用面材
８  支持板
９  接合板
１０  スリット
【図１】
2004316292.tif 000003
【図２】
2004316292.tif 000004
【図３】
2004316292.tif 000005
【図４】
2004316292.tif 000006
【図５】
2004316292.tif 000007
【図６】
2004316292.tif 000008
【図７】
2004316292.tif 000009
【図８】
2004316292.tif 000010
【図９】
2004316292.tif 000011
【図１０】
2004316292.tif 000012
【図１１】
2004316292.tif 000013
【図１２】
2004316292.tif 000014